(57)【特許請求の範囲】
【請求項１】
前後にそれぞれ少なくとも２つの収容部を有する本体駒と、該本体駒の上記収容部に挿入され接続ピンで連結される連結駒と、を備える装飾品用駒であって、
上記本体駒は、前後方向に少なくとも２つの空洞部を有する環状の外駒と、上記空洞部に挿入されるヒンジ部材と、上記連結駒の脱落を防止する押え部材と、からなり、
上記ヒンジ部材には、前後にそれぞれ少なくとも１つの第１切欠き部が形成されるとともに、上記第１切欠き部の両側には、前後方向に脚部が形成され該脚部に、貫通した連接用穴が対向して設けられる一方、
上記環状の外駒には、上面および下面の前後に上記第１切欠き部と上面視での形状が略一致する第２切欠き部が形成され、上記ヒンジ部材が上記環状の外駒内に挿入された際に、上記第１切欠き部と上記第２切欠き部とによって、上記連結駒が挿入される収容部が構成され、
さらに、上記空洞部の間に形成された壁部が少なくとも前方もしくは後方において切り欠かれて空間が形成され、
上記ヒンジ部材を上記環状の外駒の上記空洞部に挿入するとともに、上記収容部に上記連結駒を挿入し、上記空間から上記接続ピンを、上記収容部に挿入された上記連結駒の一方の貫通孔、および該貫通孔の両サイドに位置する上記連接用穴に挿入して、上記空間に上記押え部材を嵌合させて、上記連接用穴から上記空間に突出した上記接続ピンの頭部を上記押え部材により押さえてなることを特徴とする装飾品用駒。
【請求項２】
前後にそれぞれ少なくとも２つの収容部を有する本体駒と、該本体駒の上記収容部に挿入され接続ピンで連結される連結駒と、を備える装飾品用駒であって、
上記本体駒は、前後方向に少なくとも１つの空洞部を有する環状の外駒と、上記空洞部に挿入されるヒンジ部材と、上記連結駒の脱落を防止する押え部材と、からなり、
上記ヒンジ部材には、前後にそれぞれ少なくとも２つの第１切欠き部が形成され、さらに前方もしくは後方の少なくとも一方において、上記第１切欠き部間に空間が設けられるとともに、上記第１切欠き部の両側には、前後方向に脚部が形成され該脚部に、貫通した連接用穴が対向して設けられる一方、
上記環状の外駒には、上面および下面の前後に上記第１切欠き部と上面視での形状が略一致する第２切欠き部が形成され、上記ヒンジ部材が上記環状の外駒内に挿入された際に、上記第１切欠き部と上記第２切欠き部とによって、上記連結駒が挿入される収容部が構成され、
上記ヒンジ部材を上記環状の外駒の上記空洞部に挿入するとともに、上記収容部に上記連結駒を挿入し、上記空間から上記接続ピンを、上記収容部に挿入された上記連結駒の一方の貫通孔、および該貫通孔の両サイドに位置する上記連接用穴に挿入して、上記空間に上記押え部材を嵌合させて、上記連接用穴から上記空間に突出した上記接続ピンの頭部を上記押え部材により押さえてなることを特徴とする装飾品用駒。
【請求項３】
請求項１又は２に記載の装飾品用駒の複数が、上記本体駒の上記収容部のそれぞれに上記連結駒の略半分が収まって連結されていることを特徴とする装飾品。
【発明の詳細な説明】
【技術分野】
【０００１】
本発明は、時計やブレスレット等の装飾品に使用される駒に関する。
【背景技術】
【０００２】
時計は、時間を正確に刻むという実用的な側面を有している他に、アクセサリあるいは装飾品という側面も有している。そこで、時計用バンドにおいて、装飾的美しさや高級感を醸し出すための様々な取り組みがなされている。
【０００３】
このような取り組みの例として、例えば、時計用バンドの駒に宝石を埋め込んだり、駒の材質にプラチナやセラミックスなどの高級素材を用いることがしばしば行われている。
他方、装飾的価値を高めるべく、時計用バンドの駒の形状について様々なデザインが提案されている。
【０００４】
例えば、特許文献１には、駒を環状のセラミックスで形成し、環の内部に金属製のチェーンを挿入して当該駒を複数連結してなるブレスレットが示されている。駒がセラミックスで形成されているため、高級感が醸し出され、さらに金属製のチェーンを用いているため、装飾性に優れている。
【０００５】
また、特許文献２には、図１９に示すように、主駒４０２の前後に２ヶ所ずつ形成された切り欠き部４０２ａに連結駒４０３を収めて主駒４０２の側面から貫通穴４０２ｂ、４０３ａにピン４０４を挿入し、隣接する主駒４０２同士を連結した時計用バンドが示されている。
【０００６】
さらに、特許文献３には、図２０に示すように、第１の駒５０２の連結部５１４、５１６に第２の駒５２０、５２２、５２４、および５２６を嵌め込み、第１の駒５０２の側面から第２の貫通穴５２２ａ〜５２６ａに連結ピン５２８を挿入して第１の駒５０２と第２の駒５２０、５２２、５２４、および５２６を連結し、第１の駒５０２の側面に第３の駒５３０、５３２をネジ５３４、５３６で固定した時計用バンド構造が示されている。
【特許文献１】特開２００１−２５８６１７号公報
【特許文献２】実開平３−５１００９号公報
【特許文献３】実開平６−７７５１９号公報
【発明の開示】
【発明が解決しようとする課題】
【０００７】
しかしながら、特許文献１に開示された、セラミックス製の環状駒を金属製のチェーンで連結したブレスレットでは、駒同士が緩やかに繋がれており、装飾性には優れるものの、機械的安定性に劣るという問題を有していた。
【０００８】
また、特許文献２に開示された時計用バンドでは、図１９に示すように、側面から当該時計用バンドを見るとピン４０４の先端部が見えるため美しさが損なわれるという問題を有していた。
【０００９】
さらに、特許文献３に開示された時計用バンドでは、図２０に示すように、時計用バンドを側面から見ると第３の駒５３０があるため連結ピン５２８の先端部は見えないが、第３の駒５３０、５３２を第１の駒５０２に固定するネジ５３４、５３６の頭部が見えるため、上記と同様に美しさが損なわれるという問題を有していた。
【００１０】
したがって、本発明は上記課題に鑑みてなされたものであり、その目的とするところは、美しさに優れかつ機械的安定性に優れる装飾品用駒および装飾品を提供することにある。
【課題を解決するための手段】
【００１１】
そこで、本発明は、前後にそれぞれ少なくとも２つの収容部を有する本体駒と、該本体駒の上記収容部に挿入され接続ピンで連結される連結駒と、を備える装飾品用駒であって、
上記本体駒は、前後方向に少なくとも２つの空洞部を有する環状の外駒と、上記空洞部に挿入されるヒンジ部材と、上記連結駒の脱落を防止する押え部材と、からなり、
上記ヒンジ部材には、前後にそれぞれ少なくとも１つの第１切欠き部が形成されるとともに、上記第１切欠き部の両側には、前後方向に脚部が形成され該脚部に、貫通した連接用穴が対向して設けられる一方、
上記環状の外駒には、上面および下面の前後に上記第１切欠き部と上面視での形状が略一致する第２切欠き部が形成され、上記ヒンジ部材が上記環状の外駒内に挿入された際に、上記第１切欠き部と上記第２切欠き部とによって、上記連結駒が挿入される収容部が構成され、
さらに、上記空洞部の間に形成された壁部が少なくとも前方もしくは後方において切欠かれて空間が形成され、
上記ヒンジ部材を上記環状の外駒の上記空洞部に挿入するとともに、上記収容部に上記連結駒を挿入し、上記空間から上記接続ピンを、上記収容部に挿入された上記連結駒の一方の貫通孔、および該貫通孔の両サイドに位置する上記連接用穴に挿入して、上記空間に上記押え部材を嵌合させて、上記連接用穴から上記空間に突出した上記接続ピンの頭部を上記押え部材により押さえてなることを特徴とする。
また、別の形態では、前後にそれぞれ少なくとも２つの収容部を有する本体駒と、該本体駒の上記収容部に挿入され接続ピンで連結される連結駒と、を備える装飾品用駒であって、
上記本体駒は、前後方向に少なくとも１つの空洞部を有する環状の外駒と、上記空洞部に挿入されるヒンジ部材と、上記連結駒の脱落を防止する押え部材と、からなり、
上記ヒンジ部材には、前後にそれぞれ少なくとも２つの第１切欠き部が形成され、さらに前方もしくは後方の少なくとも一方において、上記第１切欠き部間に空間が設けられるとともに、上記第１切欠き部の両側には、前後方向に脚部が形成され該脚部に、貫通した連接用穴が対向して設けられる一方、
上記環状の外駒には、上面および下面の前後に上記第１切欠き部と上面視での形状が略一致する第２切欠き部が形成され、上記ヒンジ部材が上記環状の外駒内に挿入された際に、上記第１切欠き部と上記第２切欠き部とによって、上記連結駒が挿入される収容部が構成され、
上記ヒンジ部材を上記環状の外駒の上記空洞部に挿入するとともに、上記収容部に上記連結駒を挿入し、上記空間から上記接続ピンを、上記収容部に挿入された上記連結駒の一方の貫通孔、および該貫通孔の両サイドに位置する上記連接用穴に挿入して、上記空間に上記押え部材を嵌合させて、上記連接用穴から上記空間に突出した上記接続ピンの頭部を上記押え部材により押さえてなることを特徴とする。
【発明の効果】
【００１２】
本発明によれば、本体駒のヒンジ部材に連接用穴を形成し、上記ヒンジ部材を環状の外駒に挿入しているため、ピンの先端部はその外側からは見えない。また、本発明では、チェーン等で駒同士を連結するのではなく、本体駒と連結駒とを接続ピンで固定しているため、これらにより構成される装飾品用駒は機械的強度を有する。したがって、本発明によれば、美しさに優れかつ機械的安定性に優れる装飾品用駒および装飾品を提供することができる。
【発明を実施するための最良の形態】
【００１３】
以下、図面を参照しながら、本発明に係る装飾品用駒および装飾品に関して詳細に説明する。しかしながら、以下に示す実施の形態は、本発明を例示するものであって、限定するものではない。なお、各図において、共通する部分については同一の符号を付し重複した説明を省略する。各構成要素の配置個数、配置位置等は限定的でなく、装飾品用駒もしくは装飾品の使用目的、用途等により適宜設定することができる。
【００１４】
（実施の形態１）
図１は、本発明の実施の形態１に係る、時計用バンドに用いる装飾品用駒１の一例を示す斜視図であり、図２はその分解斜視図である。
【００１５】
図１に示すように、装飾品用駒１は、前後にそれぞれ２つの収容部３を有する本体駒２と、本体駒２の収容部３に挿入され接続ピン（図示せず）で連結された連結駒４と、を備える。ここで、前方とは、装飾品用駒１が連接されてなる装飾品の長手方向のいずれか一方をいい、後方とはその長手方向の他方をいう。複数の本体駒２が並置され、本体駒２の収容部３のそれぞれに連結駒４の略半分が収まって連結されることにより装飾品（図示せず）が作製される。
【００１６】
図１に示す本体駒２は、図３（ａ）〜（ｅ）に示すヒンジ部材５、５'と、図４（ａ）〜（ｄ）に示す環状の外駒６と、図５に示す押え部材１２と、から構成され、環状の外駒６の２つの空洞部８、８'のそれぞれにヒンジ部材５、５'が挿入される。
【００１７】
図３（ａ）は本発明の実施の形態１に係る装飾品用駒１の本体駒２のヒンジ部材５の平面図であり、図３（ｂ）は本発明の実施の形態１に係る装飾品用駒１の本体駒２のヒンジ部材５'の平面図であり、図３（ｃ）はこれらを側方から見た側面図であり、図３（ｄ）はヒンジ部材５の斜視図であり、図３（ｅ）はヒンジ部材５'の斜視図である。
【００１８】
図３に示すように、ヒンジ部材５、５'には、前後にそれぞれ１つの第１切欠き部９が形成され、このようなヒンジ部材５、５'をそれぞれ１つずつ用いる。
【００１９】
図３に示すように、ヒンジ部材５、５'の前後にそれぞれ１つの第１切欠き部９を設けることにより、第１切欠き部９の両側には、前後方向に脚部１０が形成される。そして、この一組の脚部１０に連接用穴１１が対向して設けられる。連接用穴１１には図７に示す接続ピン１４がヒンジ部材５、５'の前後方向に対して略直角に挿入される。そのため、連接用穴１１はヒンジ部材５、５'の前後方向に対して略直角に設けることが好ましい。また、連接用穴１１は貫通していることが肝要である。
【００２０】
また、図３に示すように、ヒンジ部材５、５'のそれぞれには、切り欠いてなる凹部１５を有することが好ましい。凹部１５を形成することにより、図２に示すようにヒンジ部材５、５'を環状の外駒６に挿入した際、ヒンジ部材５、５'のそれぞれに設けられた凹部１５が環状の外駒６の空間１３の両側に配置され、接続ピンを、収容部に挿入された連結駒の貫通孔にスライドしていれるための十分なスペースを確保することができる。
【００２１】
図４（ａ）は本発明の実施の形態１に係る装飾品用駒１の本体駒２の環状の外駒６の平面図であり、図４（ｂ）はこれを前方から見た正面図であり、図４（ｃ）はIＶｃの部分の断面図であり、図４（ｄ）はその斜視図である。
【００２２】
環状の外駒６は、図４に示すように、前後方向に形成された２つの空洞部８、８'を有し、環状に形成されている。ここで、環状の外駒６に形成された空洞部８、８'は、前後方向に対して垂直な断面における形状が略矩形となるように形成することが好ましい。そして、２つの空洞部８、８'の間には、壁部１６が形成され、壁部１６が環状の外駒６の上面１７と下面１８とを接続している。壁部１６が形成されることにより、ヒンジ部材５、５'を空洞部８、８'内において前後方向に案内可能である。しかしながら、ヒンジ部材５、５'を案内可能であれば、壁部１６は一部が開放されていてもよい。
【００２３】
また、図４に示すように、環状の外駒６の前方もしくは後方のいずれかにおいて、２つの空洞部が連通し、空間１３が形成されていることが肝要である。空間１３は外部に連通しており、外部から空間１３に、図５に示すような押え部材１２を挿入することが可能である。
【００２４】
また、環状の外駒６には、図４に示すように、上面１７および下面１８の前後に、図３に示すヒンジ部材５、５'の第１切欠き部９と略一致する第２切欠き部１９が形成されている。２つのヒンジ部材５、５'を環状の外駒６内に挿入した際、図１に示すように、第１切欠き部９と第２切欠き部１９とが合致して、第１切欠き部９と第２切欠き部１９とによって、連結駒４が挿入される収容部３が構成される。
【００２５】
ここで、図２を用いて、本発明の実施の形態１に係る本体駒２と連結駒４との係止方法について説明する。まず、図３に示すような、前後にそれぞれ１つの第１切欠き部９が形成され、その第１切欠き部９の両側には、前後方向に脚部１０が形成され脚部１０に、貫通してなる連接用穴１１が設けられるとともに、さらに切り欠いてなる凹部１５が設けられたヒンジ部材５、５'をそれぞれ１つずつと、図４に示すような、２つの空洞部８、８'が前後方向に形成され、前方もしくは後方のいずれか一方において空間１３が形成され、上面１７および下面１８の前後に第２切欠き部１９が形成された環状の外駒６を１つと、図５に示すような、空間１３に挿入される押え部材１２を１つと、図６に示すような、２つの貫通孔２０を有する連結駒４を４つと、図７に示すような、本体駒２と連結駒４とを繋ぐための接続ピン１４を４本とを用意する。
【００２６】
そして、ヒンジ部材５、５'の第１切欠き部９のうち、凹部１５が形成されていない側の２つの第１切欠き部９にそれぞれ連結駒４を挿入し、連結駒４の一方の貫通孔２０と連接用穴１１とを一直線上に位置させて、接続ピン１４を貫通孔２０および連接用穴１１に挿入して、連結駒４とヒンジ部材５、５'とを接続する。
【００２７】
続いて、これらを凹部１５が形成された側から、凹部１５が内側を向くように環状の外駒６の空洞部８、８'に挿入する。その後、残りの２つの連結駒４を、ヒンジ部材５、５'の挿入方向とは反対方向からそれぞれ挿入し、連結駒４の一方の貫通孔２０と連接用穴１１とを一直線上に位置させて、接続ピン１４を、空間１３から、連結駒４の貫通孔２０および連接用穴１１に挿入して、連結駒４とヒンジ部材５、５'とを接続する。
【００２８】
続いて、空間１３に押え部材１２を嵌合させて、連接用穴１１から空間１３に突出した接続ピン１４の頭部を押え部材１２により押さえつける。押え部材１２は空間１３に圧入してもよいし、ネジ等（図示せず）により壁部１６の端面１６'に接続してもよいし、接着剤等により接着してもよい。
図８（ａ）は本発明の実施の形態１の装飾品用駒１の部分断面図であり、（ｂ）はその側面図である。上述のように、各部材を組み付ければ、図８に示すように本発明の実施の形態１に係る装飾品用駒１が作製される。
【００２９】
押え部材１２は、図５に示すように、断面形状がＴ字状となるよう形成され、両端に鍔部２２が形成されている。上記のように、押え部材１２を空間１３に挿入すれば、第１切欠き部９から空間１３に僅かに突出した接続ピン１４の頭部の側面に、押え部材１２の鍔部２２が当接されて、ヒンジ部材５、５'の前後へのずれを防止することができる。また、装飾品用駒１を組み付けた際、連結駒４の前面もしくは後面２３、２４を、環状の外駒６の当接面２５に当接させることが肝要である。これにより、連結駒４に連結されたヒンジ部材５、５'の前後への摺動運動が抑制されるため、ヒンジ部材５、５'は、環状の外駒６から離脱することはない。したがって、連結駒４の厚さは、連結駒４の前面もしくは後面２３、２４が当接面２５に当接するような厚さであることが肝要である。好ましくは連結駒４の厚さは、環状の外駒６の厚さと略一致することが好ましい。
【００３０】
本発明の実施の形態１に係る装飾品用駒１によれば、本体駒２のヒンジ部材５、５'に連接用穴１１を形成し、ヒンジ部材５、５'を環状の外駒６に挿入しているため、接続ピン１４の先端部はその外側からは見えず、優れた装飾的美しさを得ることができる。また、本実施の形態１に係る装飾品用駒１によれば、チェーン等で駒同士を連結するのではなく、本体駒２と連結駒４とを接続ピン１４で固定しているため、これらにより構成される装飾品用駒１は機械的強度を有する。
【００３１】
（実施の形態２）
続いて、実施の形態２に係る、時計用バンドに用いる装飾品用駒２０１の一例について説明する。
【００３２】
実施の形態１では、２つのヒンジ部材５、５'を用いていたのに対し、実施の形態２では、１つのヒンジ部材２０５を用いている。
【００３３】
図９は、本発明の実施の形態２に係る装飾品用駒２０１の一例を示す斜視図であり、図１０はその分解斜視図である。
【００３４】
図９に示すように、装飾品用駒２０１は、前後にそれぞれ２つの収容部２０３を有する本体駒２０２と、本体駒２０２の収容部２０３に挿入され接続ピン（図示せず）で連結された連結駒４と、を備える。
【００３５】
図９に示す本体駒２０２は、図１１（ａ）〜（ｃ）に示すヒンジ部材２０５と、図１２（ａ）〜（ｄ）に示す環状の外駒２０６と、図５に示す押え部材１２と、から構成され、環状の外駒２０６の１つの空洞部２０８に１つのヒンジ部材２０５が挿入される。
【００３６】
図１１（ａ）は本発明の実施の形態２に係る装飾品用駒２０１の本体駒２０２のヒンジ部材２０５の平面図であり、図１１（ｂ）はこれを側方から見た側面図であり、図１１（ｃ）はその斜視図である。
【００３７】
図１１に示すように、ヒンジ部材２０５には、前後にそれぞれ２つの第１切欠き部２０９が形成されている。ヒンジ部材２０５の前方もしくは後方のいずれかにおいて、第１切欠き部２０９の間に空間２１３が設けられている。空間２１３は外部に連通しており、ヒンジ部材２０５を環状の外駒２０６に挿入した際、外部から空間２１３に、図５に示す押え部材１２を挿入することが可能である。
【００３８】
上述のように、前後にそれぞれ２つの第１切欠き部２０９を設けることにより、図１１に示すように、その第１切欠き部２０９の両側には、前後方向に脚部２１０が形成され、脚部２１０に連接用穴２１１が対向して設けられる。連接用穴２１１には図７に示す接続ピン１４もしくは図１３に示す接続ピン２１４が前後方向に対して略直角に挿入される。そのため、連接用穴２１１は前後方向に対して略直角に設けることが好ましい。また、連接用穴１１は貫通していることが肝要である。
【００３９】
また、図１２（ａ）は本発明の実施の形態２に係る装飾品用駒２０１の本体駒２０２の環状の外駒２０６の平面図であり、図１２（ｂ）はこれを前方から見た正面図であり、図１２（ｃ）はＸIIｃの部分の断面図であり、図１２（ｄ）はその斜視図である。
【００４０】
環状の外駒２０６は、図１２に示すように、前後方向に形成された１つの空洞部２０８を有し、環状に形成されている。ここで、環状の外駒２０６に形成された空洞部２０８は、上記同様、前後方向に対して垂直な断面における形状が略矩形となるように形成することが好ましい。
【００４１】
また、環状の外駒２０６には、図１２に示すように、上面２１７および下面２１８の前後に図１１に示すヒンジ部材２０５の第１切欠き部２０９と略一致する第２切欠き部２１９が形成されている。１つのヒンジ部材２０５を環状の外駒２０６内に挿入した際、図９に示すように、第１切欠き部２０９と第２切欠き部２１９とが合致して、第１切欠き部２０９と第２切欠き部２１９とによって、連結駒４が挿入される収容部２０３が構成される。
【００４２】
ここで、図１０を用いて、本発明の実施の形態２に係る本体駒２０２と連結駒４との係止方法について説明する。まず、図１１に示すような、前後にそれぞれ２つの第１切欠き部２０９が形成され、その第１切欠き部２０９の両側には、前後方向に脚部２１０が形成され脚部２１０に、貫通してなる連接用穴２１１が設けられるとともに、前方もしくは後方のいずれかにおいて第１切欠き部２０９の間に空間２１３が設けられたヒンジ部材２０５を１つと、図１２に示すような、１つの空洞部２０８が前後に形成され、上面２１７および下面２１８の前後にヒンジ部材２０５の第１切欠き部２０９と略一致する第２切欠き部２１９が形成された環状の外駒２０６を１つと、本体駒２０２と連結駒４とを繋ぐための接続ピンを３本（図１３に示す長タイプの接続ピン２１４を１本、図７に示す短タイプの接続ピン１４を２本）と、図５に示すような、空間２１３に挿入される押え部材１２を１つと、図６に示すような、２つの貫通孔２０を有する連結駒４を４つとを用意する。
【００４３】
そして、ヒンジ部材２０５の第１切欠き部２０９のうち、空間２１３が形成されていない側の第１切欠き部２０９にそれぞれ連結駒４を挿入し、連結駒４の一方の貫通孔２０と連接用穴２１１とを一直線上に位置させて、図１３に示す接続ピン２１４を連結駒４の貫通孔２０および連接用穴２１１に挿入して、連結駒４とヒンジ部材２０５とを接続する。
【００４４】
続いて、これを空間２１３が形成された側から、環状の外駒２０６の空洞部２０８に挿入する。その後、残りの２つの連結駒４を、ヒンジ部材２０５の挿入方向とは反対方向からそれぞれ挿入し、連結駒４の一方の貫通孔２０と連接用穴２１１とを一直線上に位置させて、図７に示す接続ピン１４を第１切欠き部２０９間の空間２１３から、連結駒４の貫通孔２０および連接用穴２１１に挿入して、連結駒４とヒンジ部材２０５とを接続する。
【００４５】
続いて、空間２１３に押え部材１２を嵌合させて、連接用穴２１１から空間２１３に突出した接続ピン１４の頭部を押え部材１２により押さえつける。押え部材１２は空間２１３に圧入してもよいし、ネジ等（図示せず）によりヒンジ部材２０５の、空間２１３に接する端面２１３'に接続してもよいし、接着剤等により接着してもよい。
【００４６】
図１４は、本発明の実施の形態２の装飾品用駒２０１の部分断面図である。上述のように、各部材を組み付ければ、図１４に示すように本発明の実施の形態２に係る装飾品用駒２０１が作製される。
【００４７】
本発明の実施の形態２に係る装飾品用駒２０１によれば、本体駒２０２のヒンジ部材２０５に連接用穴２１１を形成し、ヒンジ部材２０５を環状の外駒２０６に挿入しているため、接続ピン１４、２１４の先端部はその外側からは見えず、優れた装飾的美しさを得ることができる。また、本発明の実施の形態２に係る装飾品用駒２０１によれば、チェーン等で駒同士を連結するのではなく、本体駒２０２と連結駒４とを接続ピン１４で固定しているため、これらにより構成される装飾品用駒１は機械的強度を有する。
【００４８】
（実施の形態３）
続いて、実施の形態３に係る、時計用バンドに用いる装飾品用駒３０１の一例について説明する。
【００４９】
実施の形態２では、前後のいずれか一方のみに１つの第１切欠き部２０９が形成されたヒンジ部材２０５を用いているのに対し、実施の形態３では、前方および後方の両方において第１切欠き部３０９が形成されたヒンジ部材３０５を用いている。
【００５０】
図１５は、本発明の実施の形態３に係る装飾品用駒３０１の一例を示す斜視図であり、図１６はその分解斜視図である。
【００５１】
図１５に示すように、装飾品用駒３０１は、前後にそれぞれ２つの収容部３０３を有する本体駒３０２と、本体駒３０２の収容部３０３に挿入され接続ピン（図示せず）で連結された連結駒４と、を備える。
【００５２】
図１５に示す本体駒は、図１７（ａ）〜（ｃ）に示すヒンジ部材３０５と、図１２（ａ）〜（ｄ）に示す環状の外駒２０６と、図５に示す２つの押え部材１２と、から構成され、環状の外駒２０６の１つの空洞部２０８にヒンジ部材３０５が挿入される。
【００５３】
図１７（ａ）は本発明の実施の形態３に係る装飾品用駒３０１の本体駒３０２のヒンジ部材３０５の平面図であり、図１７（ｂ）はこれを側方から見た側面図であり、図１７（ｃ）はその斜視図である。
【００５４】
図１７に示すように、ヒンジ部材３０５には、前後にそれぞれ２つの第１切欠き部３０９が形成されている。ヒンジ部材３０５の前方および後方の両方において、第１切欠き部３０９の間に空間３１３が設けられている。空間３１３は外部に連通しており、ヒンジ部材３０５を環状の外駒２０６に挿入した際、外部から空間３１３に押え部材１２を挿入することが可能である。
【００５５】
上述のように、前後にそれぞれ２つの第１切欠き部３０９を設けることにより、図１７に示すように、その第１切欠き部３０９の両側には、前後方向に脚部３１０が形成され、脚部３１０に貫通してなる連接用穴３１１が対向して設けられる。連接用穴３１１には図７に示す接続ピン１４が前後方向に対して略直角に挿入される。そのため、連接用穴３１１は前後方向に対して略直角に設けることが好ましい。また、連接用穴３１１は貫通していることが肝要である。
【００５６】
ここで、図１６を用いて、本発明の実施の形態３に係る本体駒３０２と連結駒４との係止方法について説明する。まず、図１７に示すような、前後にそれぞれ２つの第１切欠き部３０９が形成され、第１切欠き部３０９に、貫通してなる連接用穴３１１が設けられるとともに、前方および後方の両方において第１切欠き部３０９の間に空間３１３が設けられたヒンジ部材３０５を１つと、図１２に示すような、１つの空洞部２０８が前後方向に形成され、上面２１７および下面２１８の前後に第１切欠き部２０９と略一致する第２切欠き部２１９が形成された環状の外駒２０６を１つと、本体駒３０２と連結駒４とを繋ぐ接続ピン１４を４本と、空間３１３に挿入される押え部材１２を２つとを用意する。
【００５７】
続いて、ヒンジ部材３０５を環状の外駒２０６の空洞部２０８に挿入する。その後、４つの連結駒４をそれぞれ収容部３０３に挿入し、連結駒４の一方の貫通孔２０と連接用穴３１１とを一直線上に位置させて、接続ピン１４を空間３１３から貫通孔２０および連接用穴３１１に挿入して、連結駒４とヒンジ部材３０５とを接続する。
【００５８】
続いて、両方の空間３１３に押え部材１２をそれぞれ嵌合させて、連接用穴３１１から空間３１３に突出した接続ピン１４の頭部を押え部材１２により押さえつける。
図１８は、実施の形態３の装飾品用駒３０１の部分断面図である。上述のように、各部材を組み付ければ、図１８に示すように本発明の実施の形態３に係る装飾品用駒３０１が作製される。
【００５９】
本発明の実施の形態３に係る装飾品用駒３０１によれば、本体駒３０２のヒンジ部材３０５に連接用穴３１１を形成し、ヒンジ部材３０５を環状の外駒２０６に挿入しているため、接続ピン１４の先端部はその外側からは見えず、優れた装飾的美しさを得ることができる。また、本発明の実施の形態３に係る装飾品用駒３０１によれば、チェーン等で駒同士を連結するのではなく、本体駒３０２と連結駒４とを接続ピン１４で固定しているため、これらにより構成される装飾品用駒３０１は機械的強度を有する。
【産業上の利用可能性】
【００６０】
本発明の装飾品用駒は、側面方向、上面方向、および底面方向のどの方向から見ても装飾品用駒を接続するピンが見えず、外観の美しさもしくは装飾性を際立って向上させることができることから、時計用バンドやブレスレットを始めとする装飾品などの各種製品に適用できるとともに、チェーンやベルトなどを用いて複数のパーツを連結した動力伝達機構を有する機械設備などにおいても、従来のチェーンなどに代えて、複数のパーツを連結する製品に適用することもできる。
【図面の簡単な説明】
【００６１】
【図１】本発明の実施の形態１に係る装飾品用駒の斜視図である。
【図２】本発明の実施の形態１に係る装飾品用駒の分解斜視図である。
【図３】（ａ）は本発明の実施の形態１に係る装飾品用駒の本体駒のヒンジ部材の平面図であり、（ｂ）は本発明の実施の形態１に係る装飾品用駒の本体駒のヒンジ部材の平面図であり、（ｃ）はヒンジ部材の側面図であり、（ｄ）はヒンジ部材の斜視図であり、（ｅ）はヒンジ部材の斜視図である。
【図４】（ａ）は本発明の実施の形態１に係る装飾品用駒の本体駒の環状の外駒の平面図であり、（ｂ）はその平面図であり、（ｃ）はその断面図、（ｄ）はその斜視図である。
【図５】（ａ）は本発明に係る押え部材の平面図であり、（ｂ）はその側面図であり、（ｃ）はその斜視図である。
【図６】（ａ）は本発明に係る連結駒の平面図であり、（ｂ）はその側面図であり、（ｃ）はその斜視図である。
【図７】本発明に係る接続ピンの平面図である。
【図８】（ａ）は本発明の実施の形態１に係る装飾品用駒の部分断面図であり、（ｂ）はその側面図である。
【図９】本発明の実施の形態２に係る装飾品用駒の斜視図である。
【図１０】本発明の実施の形態２に係る装飾品用駒の分解斜視図である。
【図１１】（ａ）は本発明の実施の形態２に係る装飾品用駒の本体駒のヒンジ部材の平面図であり、（ｂ）はその側面図であり、（ｃ）はその斜視図である。
【図１２】（ａ）は本発明の実施の形態２に係る装飾品用駒の本体駒の環状の外駒の平面図であり、（ｂ）はその平面図であり、（ｃ）はその断面図であり、（ｄ）はその斜視図である。
【図１３】本発明に係る接続ピンの平面図である。
【図１４】（ａ）は本発明の実施の形態２に係る装飾品用駒の部分断面図であり、（ｂ）はその側面図である。
【図１５】本発明の実施の形態３に係る装飾品用駒の斜視図である。
【図１６】本発明の実施の形態３に係る装飾品用駒の分解斜視図である。
【図１７】（ａ）は本発明の実施の形態３に係る装飾品用駒の本体駒のヒンジ部材の平面図であり、（ｂ）はその側面図であり、（ｃ）はその斜視図である。
【図１８】（ａ）は本発明の実施の形態３に係る装飾品用駒の部分断面図であり、（ｂ）はその側面図である。
【図１９】従来技術に係る時計用バンドの斜視図である。
【図２０】従来技術に係る時計用バンド構造を示す分解斜視図である。
【符号の説明】
【００６２】
１、２０１、３０１  装飾品用駒
２、２０２、３０２  本体駒
３、２０３、３０３  収容部
４  連結駒
５、５'、２０５、３０５  ヒンジ部材
６、２０６  環状の外駒
８、８'、２０８  空洞部
９、２０９、３０９  第１切欠き部
１０、２１０、３１０  脚部
１１、２１１、３１１  連接用穴
１２  押え部材
１３、２１３、３１３  空間
２１３'  空間２１３に接する端面
１４、２１４  接続ピン
１５  凹部
１６  壁部
１６'  壁部の端面
１７、２１７  環状の外駒の上面
１８、２１８  環状の外駒の下面
１９、２１９  第２切欠き部
２０  貫通孔
２２  鍔部
２３、２４  連結駒の前面もしくは後面
２５、２２５  当接面
【図１】
0005148226.tif 000002
【図２】
0005148226.tif 000003
【図３】
0005148226.tif 000004
【図４】
0005148226.tif 000005
【図５】
0005148226.tif 000006
【図６】
0005148226.tif 000007
【図７】
0005148226.tif 000008
【図８】
0005148226.tif 000009
【図９】
0005148226.tif 000010
【図１０】
0005148226.tif 000011
【図１１】
0005148226.tif 000012
【図１２】
0005148226.tif 000013
【図１３】
0005148226.tif 000014
【図１４】
0005148226.tif 000015
【図１５】
0005148226.tif 000016
【図１６】
0005148226.tif 000017
【図１７】
0005148226.tif 000018
【図１８】
0005148226.tif 000019
【図１９】
0005148226.tif 000020
【図２０】
0005148226.tif 000021